(57)【特許請求の範囲】
【請求項１】
接続管の内面に挿入して支持するコア部を有する継手本体と、該コア部に外挿した接続管の外面に装着して接続管を縮径する縮径部材とからなり、該縮径部材は、縮径可能に設けたスリーブ部と、薄肉に設けた剪断部と、軸線方向に圧縮することで前記剪断部で剪断して内面が前記スリーブ部の外面にはまり合ってスリーブ部を縮径する環状部とからなり、前記環状部の内径は、前記テーパ面の小径側外径より大きい内径に設けてあり、更に前記環状部は、前記スリーブ部より剛性のある厚肉円筒状に設けてあり、前記縮径部材は、合成樹脂からなり、前記縮径部材のスリーブ部に継手本体との係止部を設け、継手本体に縮径部材を係止し、環状部を継手本体側に移動することでスリーブ部を縮径することを特徴とするスリーブ型管継手。
【請求項２】
接続管の内面に挿入して支持するコア部を有する継手本体と、該コア部に外挿した接続管の外面に装着して接続管を縮径する縮径部材とからなり、該縮径部材は、縮径可能に設けたスリーブ部と、薄肉に設けた剪断部と、軸線方向に圧縮することで前記剪断部で剪断して内面が前記スリーブ部の外面にはまり合ってスリーブ部を縮径する環状部とからなり、前記環状部の内径は、前記テーパ面の小径側外径より大きい内径に設けてあり、前記環状部は、前記スリーブ部より剛性のある厚肉円筒状に設けてあり、前記縮径部材は、合成樹脂からなり、前記縮径部材の環状部に継手本体との係止部を設け、継手本体に縮径部材を係止し、スリーブ部を継手本体側に移動することでスリーブ部を縮径することを特徴とするスリーブ型管継手。
【発明の詳細な説明】
【０００１】
【発明の属する技術分野】
本発明は樹脂管又は薄肉金属管を接続する管継手であり、詳しくは縮径部材を管軸方向に圧縮して管を接続するスリーブ型管継手に関する。
【０００２】
【従来の技術】
従来、ガス管水道管等の流体輸送管としてポリエチレン、ポリブテン等の樹脂管が用いられており、この樹脂管を接続する継手として種々の継手があり、一般的には継手本体にナットを螺合して継手本体とナット間に装着したパッキンや食い込みリングを圧縮することで接続するメカニカル方式の管継手が多く用いられている。
【０００３】
【発明が解決しようとする課題】
上記の管継手では接続管の端部外面にナットやパッキン、食い込みリング等を装着した管を継手本体内に装入し、ナットを継手本体に螺合して締め付けて接続するものである。このためナットの締め付け確認、部品の組み付け確認、管の挿入確認が困難で、施工後の接続性能にバラツキが生じやすく、また継手自体が大型になりナットのレンチ締付けなど施工性にも問題があった。
本発明の目的は上記の課題を解消して、簡単に接続作業が行え、接続強度のバラツキがなく、施工後の接続確認も容易で、且つ小型の工具で容易に配管施工が行える管継手を提供するものである。
【０００４】
【課題を解決するための手段】
本発明の要旨は、  接続管の内面に挿入して支持するコア部を有する継手本体と、該コア部に外挿した接続管の外面に装着して接続管を縮径する縮径部材とからなり、該縮径部材は、縮径可能に設けたスリーブ部と、薄肉に設けた剪断部と、軸線方向に圧縮することで前記剪断部で剪断して内面が前記スリーブ部の外面にはまり合ってスリーブ部を縮径する環状部とからなり、前記環状部の内径は、前記テーパ面の小径側外径より大きい内径に設けてあり、更に前記環状部は、前記スリーブ部より剛性のある厚肉円筒状に設けてあり、前記縮径部材は、合成樹脂からなり、前記縮径部材のスリーブ部に継手本体との係止部を設け、継手本体に縮径部材を係止し、環状部を継手本体側に移動することでスリーブ部を縮径することを特徴とするスリーブ型管継手である。
【０００５】
また、接続管の内面に挿入して支持するコア部を有する継手本体と、該コア部に外挿した接続管の外面に装着して接続管を縮径する縮径部材とからなり、該縮径部材は、縮径可能に設けたスリーブ部と、薄肉に設けた剪断部と、軸線方向に圧縮することで前記剪断部で剪断して内面が前記スリーブ部の外面にはまり合ってスリーブ部を縮径する環状部とからなり、前記環状部の内径は、前記テーパ面の小径側外径より大きい内径に設けてあり、前記環状部は、前記スリーブ部より剛性のある厚肉円筒状に設けてあり、前記縮径部材は、合成樹脂からなり、前記縮径部材の環状部に継手本体との係止部を設け、継手本体に縮径部材を係止し、スリーブ部を継手本体側に移動することでスリーブ部を縮径することを特徴とするスリーブ型管継手である。
【０００６】
【作用】
本発明は上記の構成であって、構成部材としては継手本体と縮径部材の２部材しかなく、管を装着後縮径部材を軸線方向に圧縮することにより、縮径部材の剪断部が剪断してスリーブ部の外面に環状部がはまり合い、環状部内面でスリーブ部が圧縮されて縮径し、スリーブ部内面で接続管の外面を圧縮し、接続管が継手本体のコアとの間で挟着され接続される。このため比較的簡単な工具を用いて接続することが出来、またスリーブ部と環状部が一体になっているので取り扱いが容易である。
この際縮径部材を継手本体に係止して一体化してあると更に組み付けミスが生じなく、取り扱いが容易である。
【０００７】
継手本体に縮径部材を係止しておくことによって、接続管に引き抜き力が作用した際、管を挟着しているコアと縮径部材は継手本体と一体に係止されているから引き抜き阻止力が高く、また管継手は１つの部材のため取り扱い施工性が良い。
継手本体と縮径部材との係止は縮径部材のスリーブ部に係止部を設けて継手本体と係止することにより、この場合環状部はスリーブ部の外面にはまり合う摩擦力のみでスリーブ部が縮径して管の外面を縮径する。
また、縮径部材の環状部に継手本体との係止部を設けて継手本体に係止することが出来、この場合、スリーブ部は環状部と管外周面との間に圧挿入されて管の外周面を圧縮し縮径される。
【０００８】
スリーブ部は縮径可能なように円周上の一部に切り割りを設けてあると容易に縮径する。また、接続管を継手本体に差し込み時に外部からスリーブ部の切り割り部を介して接続管が確認できるので管の差し込み不足を解消することができる。
縮径部材は合成樹脂で形成することが出来、この場合、剪断部を剪断しやすい形状に形成でき、軸線方向に圧縮することで容易に剪断部から剪断して管を圧縮することができる。
【０００９】
【発明の実施の形態】
以下図面を参照しながら本発明を詳細に説明する。図１乃至図３は本発明の第１実施例を示し、図１は接続管３０を装着した状態の接続前の状態を示し、図２は縮径部材の斜視図を示し、図３は接続後の状態を示す部分断面図である。
管継手１０は金属製又は樹脂製の継手本体１１と金属製又は樹脂製で形成した縮径部材２０とからなる。継手本体１１は接続管３０の内面に挿入する円筒状のコア１２を有し、コア１２の外面には断面が鋸歯状の凹凸部１３を設けてある。またコア１２の奥には接続管の端部が突き当たる管端突き当て部１４を設けてあり、その奥に縮径部材２０との係止凹溝１５を設けてある。
【００１０】
縮径部材２０は全体が略円筒状で、縮径可能に切り割り部２７を設けたスリーブ部２１と円筒状の環状部２４と、このスリーブ部２１と環状部２４を繋ぎ容易に剪断可能に薄肉で形成した剪断部２５とからなる。スリーブ部２１の端部は前記継手本体の係止凹溝１５に係止する係止突部２３を設け、継手本体の端部からスリーブ部２１を拡径して係止突部２３を本体の係止凹溝１５に係止させてある。また外面に鍔部２２を張り出して設けその端部側に厚肉大径部とテーパ面からなる受圧外面２６を設けてある。テーパ面の端部は薄肉の剪断部２５を介して環状部２４と一体に形成してある。環状部２４の内径はテーパ面の小径側外径より大きい内径に設けてあり、更にスリーブ部２１より剛性のある厚肉円筒状に設けてある。
【００１１】
この環状部２４とスリーブ部外面に形成した鍔部２２間を軸線方向に圧縮することにより、剪断部２５が剪断されて環状部２４がスリーブ部２１の受圧外面２６に乗り上げ、徐々に大径となるテーパ面によってスリーブ部２１が環状部２４の内面で縮径される。このスリーブ部２１は円周上複数箇所に切り割り部２７を設けてあるので容易に縮径する。
スリーブ部と環状部とを軸線方向に圧縮して管３０を縮径し、接続完了した状態を図３に示す。スリーブ部２１が縮径することにより接続管３０がコア１２の外周面に強圧され、管３０の内面がコア外面の凹凸部１３に食い込んでシールと引き抜け阻止が図られる。
【００１２】
本実施例では継手本体１１に縮径部材２０が係止され組み付けられているので管を接続する作業は、継手に挿入した後、縮径部材２０を軸線方向に圧縮するだけで良く、部品の組み付けミスが生じない。また縮径部材の軸線方向の圧縮は図４に示す等の簡単な手動圧縮工具５０を用いて容易に接続作業が行える。
また縮径部材２０のスリーブ部２１に切り割り部２７を設けてあるので、外部から切り割り部２７を通して接続管３０を確認することが出来、接続管３０が正しく継手本体の管端当接部１４に当接しているかどうかを確認して接続管３０の継手本体１１への挿入不足を防止できる。
更に接続作業完了の確認は、環状部２４が鍔部２２に当接しているかどうかを確認することで容易に行える。
【００１３】
図５は本発明の第２実施例を示す接続前の部分断面図である。本実施例では前記第１実施例の継手本体に係止する係止突部２３がなく、縮径部材２００と継手本体１１は係止せずに別部材で設けた。従って縮径部材２００は前記第１実施例の係止突部２３を除いてほぼ同様である。また継手本体１１の外周面に鍔２２を張り出して設け、この鍔部２２と縮径部材の環状部２４間を軸線方向に圧縮し、前記第１実施例と同様に縮径部材のスリーブ部２０１を縮径させて接続管３０の外面を圧縮し、コア１２との間で挟着してシールと引き抜け阻止を行う。
【００１４】
図６は本発明の第３実施例を示す接続前の部分断面図である。本実施例では前記第１実施例における縮径部材のスリーブ部と環状部の位置関係が逆になったものである。
即ち継手本体１０は第１実施例と同様に、接続管３０の内面に挿入する円筒状のコア１２を有し、コア１２の外面には断面が鋸歯状の凹凸部１３を設けてある。またコア１２の奥には接続管の端部が突き当たる管端突き当て部１４を設けてあり、その奥に縮径部材２０との係止凹溝１５を設けてある。
【００１５】
縮径部材６０は、切り割り部６７を有すスリーブ部６１と、円筒状の環状部６４と、このスリーブ部６１と環状部６４間を繋ぎ剪断可能に形成した剪断部６５とからなる。第１実施例と異なる点は、縮径部材６０と継手本体１１の係止で、本実施例では縮径部材６０の環状部６４に係止突部６３を複数本張り出して設け、これを継手本体の係止凹溝１５に係止した点である。またスリーブ部６１の端部に鍔部６２を張り出して設けてある。環状部６４の内径はテーパ面６６の小径側外径より大きい内径に設けてあり、更にスリーブ部６１より剛性のある厚肉円筒状に設けてある。
【００１６】
この環状部６４とスリーブ部外面に形成した鍔部６２間を第１実施例と同様に軸線方向に圧縮することにより、剪断部６５から剪断されてスリーブ部６１が環状部６４の内面に押し込まれ、スリーブ部６１の徐々に大径となるテーパ面６６によってスリーブ部６１が環状部６４の内面で縮径される。スリーブ部６１には円周上複数箇所に切り割り部６７を設けてあるので容易に縮径が行われ、スリーブ部の内面で接続管３０の外面を縮径し、接続管の内面をコア１２の外面に圧縮してシールと引き抜け阻止が行われる。
【００１７】
【発明の効果】
以上詳しく説明した様に本発明によるスリーブ型管継手は、最小限の部品点数で形成され、しかも簡単に確実に接続でき、接続時の作業時間が短縮され、作業ミスも生じない。
【図面の簡単な説明】
【図１】  本発明の第１実施例を示す接続管を装着した状態の部分断面図である。
【図２】  第１実施例の縮径部材２０を示す斜視図である。
【図３】  第１実施例の接続した状態を示す部分断面図である。
【図４】  手動式圧縮工具５０を用いて接続時の状態を示す正面図である。
【図５】  本発明の第２実施例を示す部分断面図である。
【図６】  本発明の第３実施例を示す部分断面図である。
【符号の説明】
１０ 管継手 １１ 継手本体
１２ コア １３ 鋸歯状凹凸部
１４ 管端突き当て部 １５ 係止凹溝
２０、６０ 縮径部材 ２１、６１ スリーブ部
２２ 鍔 ２３、６３ 係止突部
２４ 環状部、６４ ２５、６５ 剪断部
２６、６６ テーパ面 ２７、６７ 切り割り部
３０ 接続管 ５０ 手動式圧縮工具
【図１】
0003959666.tif 000002
【図２】
0003959666.tif 000003
【図３】
0003959666.tif 000004
【図４】
0003959666.tif 000005
【図６】
0003959666.tif 000006
【図５】
0003959666.tif 000007